(57)【要約】【課題】低コストで効果の高い磁性シート（セパレートシート４）とその製造方法、および非接触ＩＣ媒体１を提供する。【解決手段】磁性体により一定幅を有するテープ状に形成された複数の磁性テープ４１ａ，４２ａを並列配置した第１磁性層４１と第２磁性層４２を備え、前記第１磁性層４１と第２磁性層４２を、互いの磁性テープ４１ａ，４２ａの方向を交差させて重合配置してセパレートシート４を形成した。第１磁性層４１と第２磁性層４２は、隣り合う前記磁性テープ４１ａ，４２ａ同士が重ならない構成とし、隣り合う前記磁性テープ４１ａ，４２ａ間に隙間が殆どない構成とした。【選択図】図３
2007316810.tif 000002
【特許請求の範囲】
【請求項１】
磁性体により一定幅を有するテープ状に形成された複数の磁性テープを並列配置した磁性層を複数備え、
前記各磁性層を、互いの磁性テープの方向を交差させて重合配置した
磁性シート。
【請求項２】
前記磁性層を、隣り合う前記磁性テープ同士が重ならない構成とした
請求項１記載の磁性シート。
【請求項３】
前記磁性層を、隣り合う前記磁性テープ間に隙間が殆どない構成とした
請求項１または２記載の磁性シート。
【請求項４】
前記交差を直交交差とした
請求項１、２または３記載の磁性シート。
【請求項５】
前記複数の磁性層を互いの磁性テープの方向を交差させて重合配置したものを重合磁性層とし、
電磁波を遮断する電磁波遮断素材により形成された電磁波遮断層を備え、
該電磁波遮断層の両面に前記重合磁性層をそれぞれ設けた
請求項１から４のいずれか１つに記載の磁性シート。
【請求項６】
前記電磁波遮断層と重合磁性層との間に絶縁素材による絶縁層を介装した
請求項５記載の磁性シート。
【請求項７】
制御動作を実行するＩＣチップと、
該ＩＣチップに接続されて非接触通信するアンテナと、
該アンテナの片面を覆うように配置される請求項１から４のいずれか１つに記載の磁性シートとを備えた
非接触ＩＣ媒体。
【請求項８】
前記磁性シートの他方の片面に、別のＩＣチップとアンテナを備えた
請求項７記載の非接触ＩＣ媒体。
【請求項９】
基材となる基材シートに、磁性体により一定幅を有するテープ状に形成された複数の磁性テープを並列配置し第１磁性層を作成するステップと、
前記第１磁性層に、磁性体により一定幅を有するテープ状に形成された複数の磁性テープを前記第１磁性層の磁性テープと交差する方向に並列配置し第２磁性層を作成するステップとを有する
磁性シート製造方法。
【発明の詳細な説明】
【技術分野】
【０００１】
この発明は、例えば非接触ＩＣ媒体に設けられたアンテナに対して一方からの通信を良好にすると共に他方からの通信を遮断するような磁性シートとその製造方法、および非接触ＩＣ媒体に関する。
【背景技術】
【０００２】
従来、データを記憶でき、リーダライタと非接触でデータ通信ができる非接触ＩＣ媒体が提供されている。この非接触ＩＣ媒体は、例えばループアンテナとＩＣチップが設けられ、リーダライタのアンテナが照射する誘導電磁界をループアンテナで受けることによりリーダライタと非接触で通信できる。
【０００３】
このような非接触ＩＣ媒体について、複数の非接触ＩＣ媒体が配列された状態で非接触ＩＣ媒体同士の相互干渉による共振周波数の変動を防止する相互干渉制御方法が提案されている（特許文献１参照）。この相互干渉制御方法は、非接触ＩＣ媒体のループアンテナのループ径以上の遮蔽シートを設けることで、配列された状態で隣り合う非接触ＩＣ媒体が相互干渉することを抑制するものである。
【０００４】
また、非接触ＩＣ媒体の通信特性を良好にするものとして、アンテナと背面の金属面の間に平板状の軟磁性体を設けたアンテナ装置が提案されている（特許文献２参照）。このアンテナ装置は、複数の磁性材片の集合体で軟磁性体を構成することにより、生産性の向上と通信特性の向上ができるとされている。
【０００５】
しかし、後者のアンテナ装置は、複数の磁性材片を集合させたものであるから、隣り合う磁性材片の隙間から電磁波が通過してしまうものである。この通過する電磁波は、磁性材片の集合体の裏側に設けられた金属板によって遮蔽されるものと考えられるが、金属板がなければ、電磁波が通り抜けることによって通信特性を良好にする効果が薄れてしまうという問題点がある。
【０００６】
また、後者のアンテナ装置で提案される磁性材片の集合体を用いて、前者の相互干渉制御方法を実現しようとした場合、磁性材片の集合体から電磁波が通り抜けてしまうため、金属板がなければ相互干渉を防止できないという問題点がある。
【０００７】
そして、このように磁性材片の集合体と金属板との二層構造にすると、製造に際して材料を複数種類用意し在庫管理する必要があり、手間もコストもかかるという問題点がある。
【０００８】
【特許文献１】特開２００４−２４６８１６号公報
【特許文献２】特開２００６−１０１３７０号公報
【発明の開示】
【発明が解決しようとする課題】
【０００９】
この発明は、上述の問題に鑑み、低コストで効果の高い磁性シートとその製造方法、および非接触ＩＣ媒体を提供することを目的とする。
【課題を解決するための手段】
【００１０】
この発明は、磁性体により一定幅を有するテープ状に形成された複数の磁性テープを並列配置した磁性層を複数備え、前記各磁性層を、互いの磁性テープの方向を交差させて重合配置した磁性シートであることを特徴とする。
【００１１】
この発明の態様として、前記磁性シートは、基材となる基材シートに、磁性体により一定幅を有するテープ状に形成された複数の磁性テープを並列配置し第１磁性層を作成するステップと、前記第１磁性層に、磁性体により一定幅を有するテープ状に形成された複数の磁性テープを前記第１磁性層の磁性テープと交差する方向に並列配置し第２磁性層を作成するステップとにより製造することができる。
【００１２】
またこの発明は、制御動作を実行するＩＣチップと、該ＩＣチップに接続されて非接触通信するアンテナと、該アンテナの片面を覆うように配置される前記磁性シートとを備えた非接触ＩＣ媒体であることを特徴とする。
【発明の効果】
【００１３】
この発明により、低コストで効果の高い磁性シートとその製造方法、および非接触ＩＣ媒体を提供することができる。
【発明を実施するための最良の形態】
【００１４】
この発明の一実施形態を以下図面と共に説明する。  
図１は非接触ＩＣタグ１の分解斜視図を示し、図２および図３はセパレートシート４の構成を説明する説明図を示す。
【００１５】
この非接触ＩＣタグ１は、表面シート２、第１非接触ＩＣラベル３、セパレートシート４、第２非接触ＩＣラベル５、および背面シート６が上からこの順で重合接着されてタグ形状に構成されている。
【００１６】
上面にあたる表面シート２は、適宜の剛性を有する樹脂等の素材によって適宜の大きさの長方形板状に形成されており、印刷等が施された化粧面により表面が構成されている。
【００１７】
第１非接触ＩＣラベル３は、フィルムの片面にプリント配線したＩＣチップ３０ａとループアンテナ３０ｂとが設けられている。このＩＣチップ３０ａは、例えば０．８ＧＨｚの周波数帯で通信する第１機能を備えている。また、ＩＣチップ３０ａおよびループアンテナ３０ｂとセパレートシート４との間にはフィルムが挟まれるように、セパレートシート４と反対側のフィルムの面に設けられている。
【００１８】
セパレートシート４は、図２に示すように、適宜の大きさの長方形板状の基材シート４５上全面に、磁性テープ４１ａ，４２ａを格子状に並べて形成されているシートである。
【００１９】
詳述すると、セパレートシート４は、図２（Ａ）の縦断側面図に示すように、基材シート４５の上面全面に第１磁性層４１が重合接着され、この第１磁性層４１の上面全体に第２磁性層４２が重合接着されている。なお、第１磁性層４１と第２磁性層４２とを重合配置することで重合磁性層４０を構成している。
【００２０】
第１磁性層４１は、図２（Ｂ）の平面図に示すように、基材シート４５の短手方向に沿って一直線に磁性テープ４１ａが接着されており、この磁性テープ４１ａは、磁性テープ４１ａの幅方向となる基材シート４５の長手方向に互いに平行に近接して並設されている。隣り合う磁性テープ４１ａは、互いに上下に重なることがなく、両者間の隙間が殆どないようにぴったりと並べて接着されている。
【００２１】
第２磁性層４２は、図２（Ｃ）の平面図に示すように、基材シート４５の長手方向に沿って一直線に磁性テープ４２ａが接着されており、この磁性テープ４２ａは、磁性テープ４２ａの幅方向となる基材シート４５の短手方向に互いに平行に近接して並設されている。隣り合う磁性テープ４２ａは、互いに上下に重なることがなく、両者間の隙間が殆どないようにぴったりと並べて接着されている。
【００２２】
第１磁性層４１と第２磁性層４２は、図３（Ａ）の平面図に示すように、それぞれの磁性テープ４１ａと磁性テープ４２ａが互いに直交するように積層されている。このため、平面視した場合、磁性テープ４１ａや磁性テープ４２ａが存在していない隙間は、図３（Ｂ）のＡ−Ａ，Ｂ−Ｂ部分拡大平面図に示すように、磁性テープ４１ａ間の境目である第１境界４１ｂと、磁性テープ４２ａ間の境目である第２境界４２ｂとが交わる交点４３だけとなる。
【００２３】
磁性テープ４１ａおよび磁性テープ４２ａは、軟磁性素材等の素材により一定の厚みで一定の幅の一直線のテープ状に形成した磁性テープである。具体的な素材としては、酸化鉄、クロム、ニッケル、フェライト、アモルファス合金、パーマロイ、電磁鋼、珪素鉄、Ｆｅ−ＡＬ合金、センダスト合金、カルボニル鉄、またはこれらの複数の素材の混合素材で構成することができる。
【００２４】
本実施の形態では、磁性テープ４１ａおよび磁性テープ４２ａとして、酸化鉄とクロムとニッケル等がＰＥＴベースに含有された磁性テープを用い、好ましくはビデオカセットテープやオープンリールテープ、音楽カセットテープ、ＤＡＴカセットテープ、８ｍｍビデオカセットテープ等、磁気にて記憶する記憶カセット媒体の磁性テープをそのまま再利用する。なお、そのまま再利用するとは、物理的な形状をそのまま再利用することを指し、磁性テープの磁気状態については、そのまま再利用しても消磁等してから再利用してもよい。
【００２５】
このセパレートシート４は、次の各ステップにより製造する。  
ステップ１：基材シート４５の上面全面に、基材シート４５の短手方向に磁性テープ４１ａの長手方向を向けて、この磁性テープ４１ａを幅方向（基材シート４５の長手方向）に複数並列に接着する。この磁性テープ４１ａはほとんど隙間が無いように密着させ、この複数の磁性テープ４１ａで第１磁性層４１を構成する。  
ステップ２：第１磁性層４１の上面全面に、第１磁性層４１の長手方向に磁性テープ４２ａの長手方向を向けて、この磁性テープ４２ａを幅方向（第１磁性層４１の短手方向）に複数並列に接着する。この磁性テープ４２ａはほとんど隙間が無いように密着させ、この複数の磁性テープ４２ａで第２磁性層４２を構成する。  
このステップにより、磁性テープ４１ａ，４２ａを縦横に配置したセパレートシート４が完成する。
【００２６】
図１に示すように第２非接触ＩＣラベル５は、フィルムにプリント配線したＩＣチップ５０ａとループアンテナ５０ｂとが設けられている。このＩＣチップ５０ａは、例えば１３．５６ＭＨｚの周波数帯で通信する第２機能を備えている。  
また、ＩＣチップ５０ａおよびループアンテナ５０ｂとセパレートシート４との間にフィルムが挟まれるように、ＩＣチップ５０ａおよびループアンテナ５０ｂは、セパレートシート４と反対側のフィルムの面に設けられている。
【００２７】
底面にあたる背面シート６は、適宜の剛性を有する樹脂等の素材によって適宜の大きさの長方形板状に形成されており、外側面である裏面に、磁気ストライプ３６を備えている。この裏面の磁気ストライプ３６以外の部分は、印刷等が施された化粧面である。
【００２８】
以上に説明した非接触ＩＣタグ１のセパレートシート４により、第１磁性層４１および第２磁性層４２により電磁波を反射等してループアンテナ３０ｂ，５０ｂの通信特性を向上させることができ、またセパレートシート４を電磁波が透過することを防止できる。
【００２９】
第１磁性層４１は、単体では磁性テープ４１ａの境界となる第１境界４１ｂで電磁波を通過あるいは回り込みさせてしまう可能性があるが、磁性テープ４１ａと直交する方向に磁性テープ４２ａを並設した第２磁性層４２を積層することで、磁性テープ４２ａの第２境界４２ｂと第１境界４１ｂとの交点４３の大きさを極力小さくし、電磁波が通過することを防止できる。つまり、交点４３以外の第１境界４１ｂは磁性テープ４２ａに被覆され、交点４３以外の第２境界４２ｂは磁性テープ４１ａに被覆されるため、この被覆部分で電磁波を遮断や反射等することができる。
【００３０】
また上述した構成の非接触ＩＣタグ１により、図４の斜視図に示すように、ＩＣチップ３０ａは、ループアンテナ３０ｂを用いて、図示省略するリーダライタから送信されて上面の表面シート２を通過してくる電磁波Ｇ１によりリーダライタと非接触でデータ通信できる。このとき電磁波Ｇ１は、セパレートシート４によって遮断されるため、セパレートシート４の向こう側に存在するＩＣチップ５０ａおよびループアンテナ５０ｂには届かず、ＩＣチップ５０ａおよびループアンテナ５０ｂは反応しない。従って、電磁波Ｇ１に対するＩＣチップ３０ａの通信をＩＣチップ５０ａが阻害することを防止できる。また、ループアンテナ５０ｂがループアンテナ３０ｂと相互干渉してＩＣチップ３０ａの通信を阻害することを防止できる。
【００３１】
また逆に、ＩＣチップ５０ａは、ループアンテナ５０ｂを用いて、図示省略するリーダライタから送信されて下面の背面シート６を通過してくる電磁波Ｇ２によりリーダライタと非接触でデータ通信できる。このとき電磁波Ｇ２は、セパレートシート４によって遮断されるため、セパレートシート４の向こう側に存在するＩＣチップ３０ａおよびループアンテナ３０ｂには届かず、ＩＣチップ３０ａおよびループアンテナ３０ｂは反応しない。従って、電磁波Ｇ２に対するＩＣチップ５０ａの通信をＩＣチップ３０ａが阻害することを防止できる。また、ループアンテナ３０ｂがループアンテナ５０ｂと相互干渉してＩＣチップ５０ａの通信を阻害することを防止できる。
【００３２】
また、セパレートシート４は、鉄板等を用いることなく磁性テープ４１ａ，４２ａにより製造できるため、安価に製造することができる。特に、磁性テープ４１ａ，４２ａに、廃棄される古いビデオカセットテープなどの磁性テープを再利用すれば、非常に安価に製造することができる。またこのように再利用をすれば、磁性テープの廃棄量を減少させて環境保護に貢献することができる。
【００３３】
磁性テープ４１ａ，４２ａは、それぞれ平行に整列配置されているため部位によって第１境界４１ｂや第２境界４２ｂの隙間の幅が変わるといったことがなく、第１磁性層４１および第２磁性層４２の全面で安定した品質を得ることができる。
【００３４】
第１境界４１ｂや第２境界４２ｂの隙間間隔は同一であるため、部位によって電磁波を通過許容してしまうといったことがなく、安定した品質を得ることができる。
【００３５】
なお、図５の斜視図に示すように、セパレートシート４は、上下２つの重合磁性層４０の間にアルミ材や鉄材などの電磁波遮断素材でシート状に形成した電磁波遮断層４７を介装する構成としてもよい。この場合、電磁波遮断層４７と重合磁性層４０の間には、ＰＥＴやビニールなどの絶縁素材でシート状に形成した絶縁層４９を介装すると良い。なお、図示の例ではわかりやすいように各層の肉厚を厚く表示しているが、実際には図１に示したセパレートシート４と同程度の肉厚に構成することが好ましい。  
この構成により、セパレートシート４の両面に備えたＩＣチップ３０ａとＩＣチップ５０ａが通信の際に互いに干渉することをより確実に防止できる。
【００３６】
また、磁性テープ４１ａと磁性テープ４２ａは、同一素材で同一幅で同一厚の磁性テープを採用したが、異なる素材で異なる幅で異なる厚みの磁性テープを採用してもよい。例えば、磁性テープ４１ａにはビデオカセットテープの磁性テープを採用し、磁性テープ４２ａにはＤＡＴカセットテープの磁性テープを採用するといったことができる。この場合でも、上述した電磁波防止効果と通信性能向上効果と低コスト効果を得ることができる。
【００３７】
また、第１磁性層４１と第２磁性層４２の２重構造としたが、その上にさらに第１磁性層４１と第２磁性層４２を重合配置して４重構造とするなど、２層以上の多層構造にすることができる。これにより、要求される電磁波遮断性能等に応じて重ねる回数を調整するだけで、特性の異なるセパレートシート４や非接触ＩＣタグ１を製造することができる。
【００３８】
また、ＩＣチップ３０ａが用いる通信周波数とＩＣチップ５０ａが用いる通信周波数を同一の周波数にしてもよい。この場合も、リーダライタの電磁波がセパレートシート４の裏側に届くことがないため、ＩＣチップ３０ａとＩＣチップ５０ａのいずれか一方のみと安定して非接触通信することができる。
【００３９】
また、第２非接触ＩＣラベル５を備えず、片面側からの通信だけを許容する非接触ＩＣタグ１として提供してもよい。この場合も、セパレートシート４によって第１非接触ＩＣラベル３の通信性能を向上させることができる。また、セパレートシート４の下面側（第１非接触ＩＣラベル３のない側）に金属板や電子機器等が存在しても、第１非接触ＩＣラベル３は問題なく非接触で通信できる。
【００４０】
また、セパレートシート４は、単体のカードとして提供してもよい。これにより、セパレートシート４を用いて非接触ＩＣタグ１を製造することができる。また、第１非接触ＩＣラベル３が単体で提供されているような場合に、利用者がこの第１非接触ＩＣラベル３にセパレートシート４を重ねて利用できる。この場合でも、セパレートシート４は第１非接触ＩＣラベル３の通信を良好にでき、セパレートシート４側から第１非接触ＩＣラベル３への電磁波を遮断することができる。
【００４１】
また、セパレートシート４を単体のカードとして提供する場合、隣り合う磁性テープ４１ａの第１境界４１ｂに一定幅の隙間を設け、隣り合う磁性テープ４２ａの第２境界４２ｂに一定幅の隙間を設けて、交点４３に大きさを一定の大きさの孔を形成してもよい。この場合、この孔のサイズと、磁性テープ４１ａ，４１ｂの幅とを適宜に調整することで、一定周波数以下の低周波を遮断し、それ以上の高周波を通過許容する通過電磁波調整シートを提供することができる。
【００４２】
この発明の構成と、上述の実施形態との対応において、
この発明の非接触ＩＣ媒体は、実施形態の非接触ＩＣタグ１に対応し、
以下同様に、
磁性シートは、セパレートシート４に対応し、
ＩＣチップは、ＩＣチップ３０ａに対応し、
アンテナは、ループアンテナ３０ｂに対応し、
磁性層は、第１磁性層４１および第２磁性層４２に対応し、
隙間は、第１境界４１ｂの隙間および第２境界４２ｂの隙間に対応し、
別のＩＣチップとアンテナは、ＩＣチップ５０ａおよびループアンテナ５０ｂに対応し、
磁性体は、酸化鉄とクロムとニッケル等に対応するも、
この発明は、上述の実施形態の構成のみに限定されるものではなく、多くの実施の形態を得ることができる。
【図面の簡単な説明】
【００４３】
【図１】非接触ＩＣタグの分解斜視図。
【図２】セパレートシートの構成を説明する説明図。
【図３】セパレートシートの構成を説明する説明図。
【図４】非接触ＩＣタグの斜視図。
【図５】他の実施例のセパレートシートの斜視図。
【符号の説明】
【００４４】
１…非接触ＩＣタグ、４…セパレートシート、３０ａ，５０ａ…ＩＣチップ、３０ｂ，５０ｂ…ループアンテナ、４０…重合磁性層、４１…第１磁性層、４２…第２磁性層、４１ａ，４２ａ…磁性テープ、４１ｂ…第１境界、４２ｂ…第２境界、４５…基材シート、４７…絶縁層、４９…電磁波遮断層
【図１】
2007316810.tif 000003
【図２】
2007316810.tif 000004
【図３】
2007316810.tif 000005
【図４】
2007316810.tif 000006
【図５】
2007316810.tif 000007